(57)【特許請求の範囲】
【請求項１】
ゲートバー（４）の長さ方向に沿って伸びる受け部（１０）と、ゲートバー（４）の長さ方向に沿って伸びる付属物（５，２１）を保持する保持部（１１）と、保持部（１１）を受け部（１０）に連結する脚部（１２）とを有する連結具（９）を備え、受け部（１０）がゲートバー（４）の側面に当てられ、保持部（１１）から受け部（１０）へと脚部（１２）を上下に貫通する縦挿入孔（１６）に、保持部（１１）からゲートバー（４）へとファスナが挿入されることにより、連結具（９）がゲートバー（４）に固定されたことを特徴とするゲートバーの付属物取付構造。
【請求項２】
請求項１に記載のゲートバーの付属物取付構造において、ファスナが止めピン（１５）であることを特徴とするゲートバーの付属物取付構造。
【請求項３】
請求項１に記載のゲートバーの付属物取付構造において、受け部（１０）のゲートバー（４）に対する当接面（１０ａ）が、ゲートバー（４）表面の曲面の曲率半径と同値又は小値の曲率半径で湾曲形成されたことを特徴とするゲートバーの付属物取付構造。
【請求項４】
請求項１に記載のゲートバーの付属物取付構造において、ファスナであるバンド（１３）を挿入する横挿入孔（１４）が脚部（１２）に設けられたことを特徴とするゲートバーの付属物取付構造。
【請求項５】
請求項４に記載のゲートバーの付属物取付構造において、縦挿入孔（１６）が脚部（１２）の両側面に開口し、この開口により横挿入孔（１４）が形成されたことを特徴とするゲートバーの付属物取付構造。
【請求項６】
請求項１乃至請求項５のいずれかに記載のゲートバーの付属物取付構造において、付属物であるテープ状スイッチ（５ａ，５ｂ）が連結具（９ａ，９ｂ）と共にゲートバー（４）に直列状に取り付けられ、ゲートバー（４）上のテープ状スイッチ（５ａ，５ｂ）及び連結具（９ａ，９ｂ）の突合せ部（２７）におけるテープ状スイッチ（５ａ，５ｂ）間のリード線（２４，２５）同士が連結ケーブル（２６）を介して接続されたことを特徴とするゲートバーの付属物取付構造。
【請求項７】
請求項６に記載のゲートバーの付属物取付構造において、連結具（９ａ，９ｂ）の保持部（１１）の端に、テープ状スイッチ（５ａ，５ｂ）のリード線（２４，２５）を取り出す切欠部（３２，３２ａ）が形成されたことを特徴とするゲートバーの付属物取付構造。
【請求項８】
請求項６又は請求項７に記載のゲートバーの付属物取付構造において、リード線（２４，２５）又は連結ケーブル（２６）を連結具（９ａ，９ｂ）に固定するための結束バンド（３３）を挿入する結束バンド挿入孔（３４）が連結具（９ａ，９ｂ）の脚部（１２）に設けられたことを特徴とするゲートバーの付属物取付構造。
【請求項９】
請求項６乃至請求項８のいずれかに記載のゲートバーの付属物取付構造において、連結具（９ａ，９ｂ）の片側から反対側へと連結ケーブル（２６）を通す連結ケーブル挿入孔（３９）が連結具（９ａ，９ｂ）の脚部（１２）に設けられたことを特徴とするゲートバーの付属物取付構造。
【請求項１０】
請求項６乃至請求項９のいずれかに記載のゲートバーの付属物取付構造において、連結ケーブル（２６）がゲートバー（３５）をたすき掛け状に横切るように配置されたことを特徴とするゲートバーの付属物取付構造。
【発明の詳細な説明】
【０００１】
【発明の属する技術分野】
本発明は、駐車場等に設置されるゲートバーの付属物取付構造に関する。
【０００２】
【従来の技術】
実開昭５１−６０４号、実開昭５３−４９２３２号が開示するように、ゲートバーにはゲートバーの変形、破損等を検知するためのセンサが付属物として取り付けられる。
【０００３】
実開昭５１−６０４号は、付属物としてテープ状のスイッチをゲートバーの側面に接着し又はビスで止める旨を開示し、実開昭５３−４９２３２号は、付属物としてテープ状のスイッチをゲートバーの側面に取付片及び緩衝ゴムを介して取り付ける旨を開示する。
【０００４】
【発明が解決しようとする課題】
実開昭５１−６０４号の付属物取付構造は、テープ状のスイッチをゲートバーに接着又はビス止めによって取り付けるものであるから、施工現場での取付作業が煩雑であり、作業効率が悪い。また、テープ状のスイッチは底面がフラット構造であるため円形断面のゲートバーの周面に接着剤などを使って取り付けることが面倒であり、取り付けも不完全になりやすい。
【０００５】
また、実開昭５３−４９２３２号の付属物取付構造は、ゲートバーの底面にゲートバーの降下により車輌の破損を防止する緩衝ゴムをゲートバーの底面長手方向に並べて突設した取付片を利用して取り付け、この緩衝ゴムの長手方向に軟質材で形成した押圧自在なカバーを沿設し、このカバー内部にゲートバーの底面側長手方向に沿って警報器用の作動接点を取り付けたものであり、テープ状のスイッチを取り付けるために取付片と緩衝ゴムを設けなければならず、しかもこのスイッチを取り付けるためにゲートバー自身が取付片と緩衝ゴムを付設した構造となり、汎用性のある円形状のゲートバーに対しては取り付け取り外しが面倒であり、スイッチを後付けすることができない場合もある。
【０００６】
また、複数部分に分割されたテープ状スイッチをゲートバーに取り付ける場合、これらのスイッチを連結コードを介して繋げると、スイッチ間にある程度の間隔が生じ、その間隔内では検知不能になるし、連結コードも断線しやすいという問題がある。ことに中折れ式ゲートバーの場合は、先端側バーと手元側バーにそれぞれテープ状スイッチを取り付けるため、スイッチのリード線同士の接続部が断線しやすいという問題がある。
【０００７】
本発明は上記諸問題点を解決することを目的とする。
【０００８】
【課題を解決するための手段】
上記課題を解決するため、請求項１に係る発明は、ゲートバー（４）の長さ方向に沿って伸びる受け部（１０）と、ゲートバー（４）の長さ方向に沿って伸びる付属物（５，２１）を保持する保持部（１１）と、保持部（１１）を受け部（１０）に連結する脚部（１２）とを有する連結具（９）を備え、受け部（１０）がゲートバー（４）の側面に当てられ、保持部（１１）から受け部（１０）へと脚部（１２）を上下に貫通する縦挿入孔（１６）に、保持部（１１）からゲートバー（４）へとファスナが挿入されることにより、連結具（９）がゲートバー（４）に固定されたゲートバーの付属物取付構造を採用する。
また、請求項２に係る発明は、請求項１に記載のゲートバーの付属物取付構造において、ファスナが止めピン（１５）であるゲートバーの付属物取付構造を採用する。
【０００９】
また、請求項３に係る発明は、請求項１に記載のゲートバーの付属物取付構造において、受け部（１０）のゲートバー（４）に対する当接面（１０ａ）が、ゲートバー（４）表面の曲面の曲率半径と同値又は小値の曲率半径で湾曲形成されたゲートバーの付属物取付構造を採用する。
【００１０】
また、請求項４に係る発明は、請求項１に記載のゲートバーの付属物取付構造において、ファスナであるバンド（１３）を挿入する横挿入孔（１４）が脚部（１２）に設けられたゲートバーの付属物取付構造を採用する。
【００１２】
また、請求項５に係る発明は、請求項４に記載のゲートバーの付属物取付構造において、縦挿入孔（１６）が脚部（１２）の両側面に開口し、この開口により横挿入孔（１４）が形成されたゲートバーの付属物取付構造を採用する。
【００１３】
請求項６に係る発明は、請求項１乃至請求項５のいずれかに記載のゲートバーの付属物取付構造において、付属物であるテープ状スイッチ（５ａ，５ｂ）が連結具（９ａ，９ｂ）と共にゲートバー（４）に直列状に取り付けられ、ゲートバー（４）上のテープ状スイッチ（５ａ，５ｂ）及び連結具（９ａ，９ｂ）の突合せ部（２７）におけるテープ状スイッチ（５ａ，５ｂ）間のリード線（２４，２５）同士が連結ケーブル（２６）を介して接続されたゲートバーの付属物取付構造を採用する。
【００１４】
請求項７に係る発明は、請求項６に記載のゲートバーの付属物取付構造において、連結具（９ａ，９ｂ）の保持部（１１）の端に、テープ状スイッチ（５ａ，５ｂ）のリード線（２４，２５）を取り出す切欠部（３２，３２ａ）が形成されたゲートバーの付属物取付構造を採用する。
【００１５】
請求項８に係る発明は、請求項６又は請求項７に記載のゲートバーの付属物取付構造において、リード線（２４，２５）又は連結ケーブル（２６）を連結具（９ａ，９ｂ）に固定するための結束バンド（３３）を挿入する結束バンド挿入孔（３４）が連結具（９ａ，９ｂ）の脚部（１２）に設けられたゲートバーの付属物取付構造を採用する。
【００１６】
請求項９に係る発明は、請求項６乃至請求項８のいずれかに記載のゲートバーの付属物取付構造において、連結具（９ａ，９ｂ）の片側から反対側へと連結ケーブル（２６）を通す連結ケーブル挿入孔（３９）が連結具（９ａ，９ｂ）の脚部（１２）に設けられたゲートバーの付属物取付構造を採用する。
【００１７】
請求項１０に係る発明は、請求項６乃至請求項９のいずれかに記載のゲートバーの付属物取付構造において、連結ケーブル（２６）がゲートバー（３５）をたすき掛け状に横切るように配置されたゲートバーの付属物取付構造を採用する。
【００１８】
【発明の実施の形態】
次に、本発明の実施の形態について図面を参照して説明する。
【００１９】
＜実施の形態１＞
図１に示すように、このゲート開閉装置は、例えば駐車場と一般道との間の通路に設けられる。開閉装置の駆動部等は通路側に設けられた土台１上に配置され、その全体がケース２で覆われている。ケース２からは駆動軸３が片持ち状に突出し、この駆動軸３に通路を開閉するゲートバー４が固定されている。ゲート開閉装置は、ゲートバー４を実線位置に倒すことで通路を遮断し、ゲートバー４を上方に回転させ起立させることで通路を開放する。
【００２０】
このゲートバー４には、図１及び図２に示すように、付属物であるテープ状のスイッチ５が取り付けられる。このスイッチ５は、ゲートバー４の表面をゲートバー４の長さ方向に沿って伸びるテープ状の導電性基板６と、導電性基板６に平行に伸びる導電ゴム等で作られた可撓性導電体７とをゴム等で出来た筒状のカバー８で覆うことにより形成される。カバー８が外力により変形し可撓性導電体７が撓むと、可撓性導電体７が導電性基板６に接触し、可撓性導電体７と導電性基板６とが電気的に導通して信号が流れ、これにより障害物の接触等異常の発生が検知される。
【００２１】
このテープ状スイッチ５は次に述べるような付属物取付構造によってゲートバー４に取り付けられる。
【００２２】
すなわち、図１及び図２に示すように、テープ状スイッチ５は、連結具９に固定され、連結具９がファスナであるバンド１３によりゲートバー４に固定される。
【００２３】
連結具９は、図２乃至図４に示すように、ゲートバー４の長さ方向に沿って伸びる受け部１０と、ゲートバー４の長さ方向に沿って伸びるテープ状スイッチ５を保持する保持部１１と、保持部１１を受け部１０に連結する脚部１２とを有する。連結具９は、例えば合成樹脂の押し出し成形等により、受け部１０と保持部１１と脚部１２とが一体となって形成される。
【００２４】
受け部１０はゲートバー４の表面形状に倣った形状に形成される。この実施の形態ではゲートバー４が円筒形に形成されることから、受け部１０はゲートバー４の表面に倣って湾曲している。また、受け部１０のゲートバー４に対する当接面１０ａが、ゲートバー４の表面の曲率半径と同値又は小値の曲率半径で湾曲形成される。これにより、受け部１０をゲートバー４に対して押圧し弾性変形させると、受け部１０がゲートバー４の表面に密着する。ゲートバー４は円筒形に限らずテーパー付きの先細円筒形の場合があるが、テーパー付きゲートバーであっても受け部１０が弾性変形することによりゲートバー４の表面に密着するので、テープ状スイッチ５等の付属物がゲートバー４に強固に固定される。
【００２５】
保持部１１は、その両側縁に鈎状に屈曲する係止片１１ａを有し、上記スイッチ５のカバー８の両側縁を係止片１１ａで引っ掛けて保持する。
【００２６】
脚部１２は受け部１０と保持部１１との間を繋ぐ垂直壁であり、ファスナであるバンド１３を挿入する横挿入孔１４が脚部１２の垂直壁を横方向に貫通する。また、ファスナである止めピン１５（図５参照）を挿入する縦挿入孔１６が保持部１１から受け部１０へと脚部１２を上下に貫通する。縦挿入孔１６は脚部１２の肉厚内を貫通するものであってもよいが、この実施の形態では図４に示すように脚部１２の肉厚よりも大きい径の孔として形成される。これにより、縦挿入孔１６は脚部１２の両側面に開口し、この開口により縦挿入孔１６の形成と同時に上記横挿入孔１４が形成される。横挿入孔１４及び縦挿入孔１６は脚部１２の長さ方向に一定間隔で複数個設けられる。
【００２７】
この連結具９は、受け部１０がゲートバー４の側面に当てられたうえでファスナであるバンド１３によりゲートバー４に固定される。すなわち、図２に示すように、受け部１０をゲートバー４の下側の側面に押し付けたうえでファスナであるバンド１３を横挿入孔１４に挿入し、結束片１３ａでバンド１３を結束する。連結具９は、図１に示すように、ゲートバー４の長さ方向の複数箇所においてバンド１３で締め付けられ固定される。
【００２８】
次に、上記構成のゲートバーの作用について説明する。
【００２９】
テープ状スイッチ５を予め連結具９の保持部１１に取り付けておく。連結具９をゲートバー４に固定した後にテープ状スイッチ５を保持部１１に取り付けるようにしてもよい。
【００３０】
この連結具９の受け部１０を図２に示すように、ゲートバー４の下側の側面に押し付けて密着させる。続いて脚部１２の横挿入孔１４にバンド１３を通し、ゲートバー４に巻き付けた後、結束片１３ａにより締め付ける。
【００３１】
このようなバンド１３による結束を連結具９の各横挿入孔１４ごとに行って連結具９をゲートバー４に固定する。これにより、テープ状スイッチ５は連結具９を介してゲートバー４に固定される。連結具９及びスイッチ５はゲートバー４の他の箇所に増設してもよい。
【００３２】
このゲートバー４は図１に示すように駆動軸３の回転により上下に開閉動作し、通路を開放したり遮断したりする。
【００３３】
このゲートバー４に車両等が接触すると、スイッチ５のカバー８が変形し、可撓性導電体７が導電性基板６に接触し、信号が流れる。これにより、図示しないリミットスイッチ等が作動してゲートバー４を垂直の開位置へ戻して駆動モータを停止させたり、警報器を作動させ警報を発したりする。
【００３４】
＜実施の形態２＞
図５に示すように、この実施の形態２ではファスナとして実施の形態１で用いられたバンド１３に代えて止めピン１５が用いられる。
【００３５】
すなわち、連結具９において縦挿入孔１６が保持部１１から受け部１０へと脚部１２を上下に貫通し、ゲートバー４には縦挿入孔１６に対応して止め孔１７が穿設される。連結具９は、プッシュリベット等の止めピン１５が縦挿入孔１６を通って保持部１１、脚部１２及び受け部１０をゲートバー４へと貫通し、ゲートバー４の止め孔１７に嵌まり込むことによってゲートバー４上に固定保持される。
【００３６】
止めピン１５が挿入される縦挿入孔１６は実施の形態１の場合と同様に横挿入孔１４と同じ位置に設けられるが、横挿入孔１４とは異なる位置に設けるようにしてもよい。
【００３７】
＜実施の形態３＞
図６に示すように、この実施の形態３では実施の形態１又は実施の形態２で用いられた連結具９と異なる連結具１８がスイッチ５（図２参照）の固定に用いられる。
【００３８】
この連結具１８は保持部１９ａ，１９ｂが上下に二分割され、係止片２０を有する下部分１９ｂがゴム等の緩衝材で成形され、上部分１９ａに接着されている。この連結具１８は実施の形態１又は実施の形態２と同様にバンド１３又は止めピン１５によりゲートバー４に固定され、また係止片２０にスイッチ５が固定される。
【００３９】
＜実施の形態４＞
図７に示すように、この実施の形態４ではゲートバー４に取り付ける付属物として、実施の形態１又は実施の形態２におけるスイッチ５に代え緩衝体２１が用いられる。
【００４０】
緩衝体２１はゴム等の軟質材で形成され、連結具２２の板状に形成された保持部２３の下面に接着剤等により固定される。
【００４１】
このような緩衝体２１がゲートバー４に取り付けられることにより、ゲートバー４の硬い部分が車輌や人に直接当たるのを防止することができる。
【００４２】
＜実施の形態５＞
図８に示すように、この実施の形態５では、実施の形態１と異なり、一つのバーからなるゲートバー４の付属物である複数本のテープ状のスイッチ５ａ，５ｂがおのおのを保持する連結具９ａ，９ｂと共にゲートバー４に直列状に取り付けられ、テープ状スイッチ５ａ，５ｂ及び連結具９ａ，９ｂの突合せ部におけるテープ状スイッチ５ａ，５ｂ間のリード線２４，２５同士が連結ケーブル２６を介して接続される。
【００４３】
各スイッチ５ａ，５ｂは、図９に示すように、ゲートバー４の表面をゲートバー４の長さ方向に沿って伸びるテープ状の導電性基板６と、導電性基板６に平行に伸びる導電ゴム等で作られた可撓性導電体７とをゴム等で出来た筒状のカバー８で覆うことにより形成される。カバー８が外力により変形し可撓性導電体７が撓むと、可撓性導電体７が導電性基板６に接触し、可撓性導電体７と導電性基板６とが電気的に導通して信号が流れ、これにより障害物の接触等異常の発生が検知される。
【００４４】
各テープ状スイッチ５ａ，５ｂは互いに別体の連結具９ａ，９ｂに固定され、各連結具９ａ，９ｂがファスナであるバンド１３によりゲートバー４に固定される。
【００４５】
各連結具９ａ，９ｂは、図８乃至図１０に示すように、ゲートバー４の長さ方向に沿って伸びる受け部１０と、ゲートバー４の長さ方向に沿って伸びるテープ状スイッチ５ａ，５ｂをそれぞれ保持する保持部１１と、保持部１１を受け部１０に連結する脚部１２とを有する。連結具９ａ，９ｂは、例えば合成樹脂の押し出し成形等により、受け部１０と保持部１１と脚部１２とが一体となって形成される。
【００４６】
受け部１０はゲートバー４の表面形状に倣った形状に形成される。この実施の形態ではゲートバー４が円筒形に形成されることから、受け部１０はゲートバー４の表面に倣って湾曲している。また、受け部１０のゲートバー４に対する当接面１０ａが、ゲートバー４の表面に合致するように湾曲形成される。これにより、受け部１０をゲートバー４に対して押圧し弾性変形させると、受け部１０がゲートバー４の表面に密着する。ゲートバー４は円筒形に限らずテーパー付きの先細円筒形の場合があるが、テーパー付きゲートバーであっても受け部１０が弾性変形することによりゲートバー４の表面に密着するので、テープ状スイッチ５等の付属物がゲートバー４に強固に固定される。
【００４７】
保持部１１は、その両側縁に鈎状に屈曲する係止片１１ａを有し、上記スイッチ５のカバー８の両側縁を係止片１１ａで引っ掛けて保持する。
【００４８】
脚部１２は受け部１０と保持部１１との間を繋ぐ垂直壁であり、ファスナである結束用のバンド１３を挿入する横挿入孔１４が脚部１２の垂直壁を横方向に貫通する。また、必要に応じて、図１０及び図１１に示すように、ファスナである止めピン１５（図５参照）を挿入する縦挿入孔１６が保持部１１から受け部１０へと脚部１２を上下に貫通するように設けられる。縦挿入孔１６は脚部１２の肉厚内を貫通するものであってもよいが、この実施の形態では図４に示したと同様に脚部１２の肉厚よりも大きい径の孔として形成される。これにより、縦挿入孔１６は脚部１２の両側面に開口し、この開口により縦挿入孔１６の形成と同時に上記横挿入孔１４が形成される。横挿入孔１４及び縦挿入孔１６は脚部１２の長さ方向に一定間隔で複数個設けられる。
【００４９】
この連結具９ａ，９ｂは、受け部１０がゲートバー４の側面に当てられたうえでファスナであるバンド１３によりゲートバー４に固定される。すなわち、図８及び図９に示すように、受け部１０をゲートバー４の下側の側面に押し付けたうえでファスナであるバンド１３を横挿入孔１４に挿入し、結束片１３ａでバンド１３を結束する。連結具９ａ，９ｂはゲートバー４の長さ方向の複数箇所においてバンド１３で締め付けられ固定される。
【００５０】
また、図８に示すように、複数本の連結具９ａ，９ｂが、ゲートバー４の長さ方向の端面で突き合わされ直列状に接続される。連結具９ａ，９ｂに取り付けられるテープ状スイッチ５ａ，５ｂも同様に突き合わされ直列状に接続される。これにより、スイッチ５ａ，５ｂ間の隙間が解消し、ゲートバー４の略全長にわたって適正な検知が可能になる。
【００５１】
図８及び図１５に示すように、テープ状スイッチ５ａ，５ｂ及び連結具９ａ，９ｂの突合せ部２７において、テープ状スイッチ５ａ，５ｂ間のリード線２４，２５同士は連結ケーブル２６を介して電気的に接続される。連結ケーブル２６は電気の導線を樹脂、ゴム等で被覆した強靭な可撓性ケーブルとして形成される。リード線２４，２５はスイッチ５ａ，５ｂの突合せ部２７の端から二本ずつ引き出され、一方のスイッチ５ａのリード線２４が連結ケーブル２６側の一端から引き出される二本のリード線２８と圧着端子であるコネクタ２９を介し電気的に接続され、この接続部分の回りが保護材である収縮チューブ３０により覆われる。他方のスイッチ５ｂのリード線２５も同様にして連結ケーブル２６の他端のリード線２８に接続され、収縮チューブ３０により覆われる。一方のスイッチ５ａの他端には開閉装置の本体側に接続するためのコネクタ３１（図１６参照）が取り付けられる。
【００５２】
図１０、図１１及び図１２に示すように、連結具９ａ，９ｂの保持部１１の端には切欠部である係止穴３２が穿設され、図１５に示すように、この係止穴３２からテープ状スイッチ５ａ，５ｂのリード線２４，２５が引き出される。このようにスイッチ５ａ，５ｂ側のリード線２４，２５が切欠部である係止穴３２に係止されることから、リード線２４，２５には無理な引張力が作用しなくなりリード線２４，２５間の断線が防止される。
【００５３】
なお、係止穴３２は上記丸穴に限らず角穴としてもよいし、図１４に示すように、連結具９ａ，９ｂの保持部１１の端に半円形の係止穴３２ａとして形成してもよい。
【００５４】
連結ケーブル２６と収縮チューブ３０の連結箇所は、図８及び図９に示すように、折り返され、連結ケーブル２６の中央部には半円状のループが形成される。これにより、スイッチ５ａ，５ｂ同士が反対方向に引っ張られた場合であっても断線が防止される。そのような引っ張り力が作用しないか小さい場合は連結ケーブル２６をループ状に形成することなく直線状に配置してもよい。
【００５５】
この連結ケーブル２６と収縮チューブ３０の折り返された連結箇所は、連結具９ａ，９ｂの受け部１０と保持部１１と脚部１２とで囲まれた凹部に収められ、結束バンド３３により固定される。図９及び図１３に示すように、連結具９ａ，９ｂの脚部１２には、結束バンド３３を挿入するための結束バンド挿入孔３４が形成される。連結ケーブル２６と収縮チューブ３０の折り返された連結箇所は、結束バンド挿入孔３４に挿入された結束バンド３３により結束された状態で上記凹部内に保持される。これにより、スイッチ５ａ，５ｂの接続部は外部からの衝撃等から保護される。
【００５６】
なお、連結ケーブル２６と収縮チューブ３０は、結束バンド３３の替わりにプッシュリベット、Ｃリング、両面粘着テープ等を使って上記凹部内に固定しても良い。また、図１６に示すように連結ケーブル２６と収縮チューブ３０の一方のみを結束バンド３３等により凹部内に固定するようにしてもよい。
【００５７】
連結ケーブル２６のループ状に湾曲した箇所は、必要に応じて図８に示すように、連結具９ａ，９ｂをゲートバー４に固定するためのバンド１３によってもゲートバー４の表面に押し付けられ固定される。
【００５８】
＜実施の形態６＞
この実施の形態６では、実施の形態５と同様にゲートバー４の付属物であるテープ状スイッチ５ａ，５ｂが連結具９ａ，９ｂと共にゲートバー４に直列状に取り付けられ、テープ状スイッチ５ａ，５ｂ及び連結具９ａ，９ｂの突合せ部２７におけるテープ状スイッチ５ａ，５ｂ間のリード線２４，２５（図８及び図１５参照）同士が連結ケーブル２６を介して接続されるが、実施の形態５とは連結ケーブル２６の連結の仕方が異なっている。
【００５９】
すなわち、図１７に示すように、連結具９ａ，９ｂの片側から反対側へと連結ケーブル２６を通す連結ケーブル挿入孔３９が連結具９ａ，９ｂの脚部１２（図８参照）に設けられており、連結ケーブル２６をこの挿入孔３９に通した後、結束バンド３３により結束することにより連結ケーブル２６が連結具９ａ，９ｂに係止される。これにより、連結ケーブル２６が連結具９ａ，９ｂに強固に固定され、連結ケーブル２６とスイッチ５ａ，５ｂとの間の断線が防止される。
【００６０】
＜実施の形態７＞
図１８及び図１９に示すように、この実施の形態７では、実施の形態５の一つのバーからなるゲートバーと異なり、中折れ式ゲートバー３５が用いられている。
【００６１】
図１８に示すように、このゲート開閉装置は、実施の形態１と同様に例えば駐車場と一般道との間の通路に設けられる。開閉装置の駆動部等は通路側に設けられた土台１上に配置され、その全体がケース２で覆われる。ケース２からは駆動軸３が片持ち状に突出し、この駆動軸３に通路を開閉する中折れ式ゲートバー３５の手元側バー３５ａが固定される。手元側バー３５ａの先端には、先端側バー３５ｂが接続部であるヒンジ３６を介して屈曲自在に連結される。先端側バー３５ｂの後端からはアーム３７が突出し、アーム３７の先端がケース２側に連結ワイヤ３８を介して連結される。
【００６２】
駆動軸３の回転により、図１８に示すごとくゲートバー３５の手元側バー３５ａが水平位置に倒されると、先端側バー３５ｂが連結ワイヤ３８により引っ張られ手元側バー３５ａの先で水平に停止し、これにより通路が遮断される。また、駆動軸３が逆転すると、ゲートバー３５の手元側バー３５ａが垂直上方に回転し、この手元側バー３５ａの上端のヒンジ３６で先端側バー３５ｂが下方に屈曲して水平位置に停止し、これにより通路が開放される。
【００６３】
この中折れ式ゲートバー３５の手元側バー３５ａと先端側バー３５ｂには、実施の形態１と同様にしてそれぞれテープ状スイッチ５ａ，５ｂが連結具９ａ，９ｂを介して取り付けられ、また、両スイッチ５ａ，５ｂ間が連結ケーブル２６により電気的に連結される。手元側バー３５ａと先端側バー３５ｂはヒンジ３６の箇所を支点にしてゲートバー３５の開閉に伴い屈伸動作するが、この屈伸動作を妨害しないように又屈伸動作により破損しないように連結ケーブル２６はループ状に配置される。望ましくは、連結ケーブル２６はゲートバー３５をたすき掛け状に横切るようにループを形成する。これにより、ヒンジ３６への連結ケーブル２６の繰返し接触が回避され連結ケーブル２６の破損、破断が防止される。
【００６４】
この連結ケーブル２６は図示したように、必要に応じてバンド１３によりアーム３７に固定してもよい。
【００６５】
以上本発明の好ましい実施の形態について説明したが、本発明はこれらの実施の形態に限定されるものではない。たとえば、上記各実施の形態では付属物をゲートバーに取り付ける手段としてバンドや止めピンを用いたが、Ｃ字形の弾性リングをゲートバーに被せて弾性リングの両端縁で受け部を挟むようにすることもできるし、受け部とゲートバーとの間に両面粘着テープ、面ファスナ等を設けて受け部をゲートバーに固定することもできる。
【００６６】
【発明の効果】
請求項１に係る発明によれば、ゲートバーの長さ方向に沿って伸びる受け部と、ゲートバーの長さ方向に沿って伸びる付属物を保持する保持部と、保持部を受け部に連結する脚部とを有する連結具を備え、受け部がゲートバーの側面に当てられ、保持部から受け部へと脚部を上下に貫通する縦挿入孔に、保持部からゲートバーへとファスナが挿入されることにより、連結具がゲートバーに固定されたゲートバーの付属物取付構造であるから、作業現場でテープ状スイッチ、緩衝体等の付属物を簡易に取り付けたり取り外したりすることができる。また、フラットな底面を有するテープ状スイッチ、緩衝体等であっても、一般的な円形横断面のゲートバーに強固に取り付けることができる。
【００６７】
請求項３に係る発明によれば、請求項１に記載のゲートバーの付属物取付構造において、受け部のゲートバーに対する当接面が、ゲートバー表面の曲面の曲率半径と同値又は小値の曲率半径で湾曲形成されたゲートバーの付属物取付構造であるから、円筒形のゲートバーに限らずテーパー付きのゲートバーであってもテープ状スイッチ、緩衝体等の付属物の受け部をゲートバーに対して押圧し弾性変形させることでゲートバーに密着させることができる。従って、堅固な取付構造とすることができる。
【００６８】
請求項４に係る発明によれば、請求項１又は請求項２に記載のゲートバーの付属物取付構造において、ファスナであるバンドを挿入する横挿入孔が脚部に設けられたゲートバーの付属物取付構造であるから、ゲートバーにテープ状スイッチ、緩衝体等の付属物を取り付けるときに、連結具の脚部を貫通する横挿入孔にバンドを通して締め付け固定することができる。連結具等を取り外す場合はこのバンドを切断することで簡単にゲートバーから取り外すことができる。
【００６９】
請求項２に係る発明によれば、請求項１に記載のゲートバーの付属物取付構造において、ファスナである止めピンを挿入する縦挿入孔が保持部から受け部へと脚部を上下に貫通したゲートバーの付属物取付構造であるから、プッシュリベット等の止めピンを縦挿入孔に通して、ゲートバーに開けた孔に押圧することで自動的に嵌合状態をうることができる。従って、ゲートバーへのテープ状スイッチ、緩衝体等の付属物の取付、取外作業が簡単になる。
【００７０】
請求項５に係る発明によれば、請求項４に記載のゲートバーの付属物取付構造において、縦挿入孔が脚部の両側面に開口し、この開口により横挿入孔が形成されたゲートバーの付属物取付構造であるから、縦挿入孔と横挿入孔が連結具の同じ箇所に共通の貫通孔として形成され、従ってバンドと止めピンを自在に使い分けて付属物をゲートバーに取り付けたり取り外したりすることができる。
【００７１】
請求項６に係る発明によれば、請求項１乃至請求項５のいずれかに記載のゲートバーの付属物取付構造において、付属物であるテープ状スイッチが連結具と共にゲートバーに直列状に取り付けられ、ゲートバー上のテープ状スイッチ及び連結具の突合せ部におけるテープ状スイッチ間のリード線同士が連結ケーブルを介して接続されたゲートバーの付属物取付構造であるから、スイッチ間の隙間が解消し、検知不能部分がなくなり、適正な検知が可能になる。また、スイッチのリード線同士間の断線が防止される。
【００７２】
請求項７に係る発明によれば、請求項６に記載のゲートバーの付属物取付構造において、連結具の保持部の端に、テープ状スイッチのリード線を取り出す切欠部が形成されたゲートバーの付属物取付構造であるから、リード線を切欠部に係止することができ、リード線に無理な引張作用が生じないようにしてリード線間の断線を防止することができる。
【００７３】
請求項８に係る発明によれば、請求項６又は請求項７に記載のゲートバーの付属物取付構造において、リード線又は連結ケーブルを連結具に固定するための結束バンドを挿入する結束バンド挿入孔が連結具の脚部に設けられたゲートバーの付属物取付構造であるから、連結具の受け部と保持部と脚部とで囲まれた凹部にリード線又は連結ケーブルを収めた状態で結束バンドにより固定することができ、従ってスイッチの接続部が外部からの衝撃等から保護され、しかもゲートバーの外観が良くなる。
【００７４】
請求項９に係る発明によれば、請求項６乃至請求項８のいずれかに記載のゲートバーの付属物取付構造において、連結具の片側から反対側へと連結ケーブルを通す連結ケーブル挿入孔が連結具の脚部に設けられたゲートバーの付属物取付構造であるから、連結ケーブルを挿入孔に通すことにより連結ケーブルを連結具に係止することができ、従って連結ケーブルとリード線との間の断線が防止される。
【００７５】
請求項１０に係る発明によれば、請求項６乃至請求項９のいずれかに記載のゲートバーの付属物取付構造において、連結ケーブルがゲートバーをたすき掛け状に横切るように配置されたゲートバーの付属物取付構造であるから、例えば中折れ式ゲートバーの手元側バーと先端側バーとの接続部に連結ケーブルをたすき掛け状に配置することにより、バー接続部への連結ケーブルの接触を回避し連結ケーブルの破損を防止することができる。
【図面の簡単な説明】
【図１】本発明の実施の形態１に係るゲートバーをゲート開閉装置とともに示す正面図である。
【図２】図１中、ＩＩ−ＩＩ線矢視断面図である。
【図３】図２に示すゲートバーに取り付けられた連結具を示す斜視図である。
【図４】図３中、ＩＶ−ＩＶ線矢視断面図である。
【図５】本発明の実施の形態２に係るゲートバーを示す、図２と同様な断面図である。
【図６】本発明の実施の形態３に係る連結具を示す垂直断面図である。
【図７】本発明の実施の形態４に係る連結具を示す垂直断面図である。
【図８】本発明の実施の形態５に係るゲートバーの部分切欠正面図である。
【図９】図８中、ＩＸ−ＩＸ線矢視断面図である。
【図１０】図８及び図９に示す連結具の底面図である。
【図１１】図１０に示す連結具の部分拡大図である。
【図１２】図１１中、ＸＩＩ−ＸＩＩ線矢視断面図である。
【図１３】図１１中、ＸＩＩＩ−ＸＩＩＩ線矢視断面図である。
【図１４】図８及び図９に示す連結具の変形例の部分拡大図である。
【図１５】図８に示すテープ状スイッチのリード線の固定手段を示す説明図である。
【図１６】本発明の実施の形態５に係る連結ケーブルの他の配置状態を連結具と共に示す底面図である。
【図１７】本発明の実施の形態６に係る連結ケーブルの配置状態を連結具と共に示す底面図である。
【図１８】本発明の実施の形態５に係る連結ケーブルをゲートバー及びゲート開閉装置とともに示す正面図である。
【図１９】図１８に示すゲートバーの手元側バーと先端側バーとの接続部を示す部分平面図である。
【符号の説明】
４，３５…ゲートバー
５，５ａ，５ｂ…スイッチ
９，９ａ，９ｂ…連結具
１０…受け部
１０ａ…当接面
１１…保持部
１２…脚部
１３…バンド
１４…横挿入孔
１５…止めピン
１６…縦挿入孔
２１…緩衝体
２４，２５…リード線
２６…連結ケーブル
２７…突合せ部
３２，３２ａ…係止穴（切欠部）
３３…結束バンド
３４…結束バンド挿入孔
３９…連結ケーブル挿入孔
【図１】
0003922628.tif 000002
【図２】
0003922628.tif 000003
【図３】
0003922628.tif 000004
【図４】
0003922628.tif 000005
【図５】
0003922628.tif 000006
【図６】
0003922628.tif 000007
【図７】
0003922628.tif 000008
【図８】
0003922628.tif 000009
【図９】
0003922628.tif 000010
【図１０】
0003922628.tif 000011
【図１１】
0003922628.tif 000012
【図１２】
0003922628.tif 000013
【図１３】
0003922628.tif 000014
【図１４】
0003922628.tif 000015
【図１５】
0003922628.tif 000016
【図１６】
0003922628.tif 000017
【図１７】
0003922628.tif 000018
【図１８】
0003922628.tif 000019
【図１９】
0003922628.tif 000020